(57)【要約】【課題】冷蔵庫本体が持つ本来の容積を効率よく生かして、大容量、かつ、使い勝手の良い冷蔵庫の提供。【解決手段】冷蔵庫本体１と、前記冷蔵庫本体の最上部に設けた回転式扉によって開閉する冷蔵室３と、前記冷蔵室の下方に設けた少なくとも三つの引出式の貯蔵室とを備え、前記冷蔵室の直下に設けた第１引出し貯蔵室４はその下方の他の第２、第３引出し貯蔵室５、６と同様冷蔵庫本体横幅一杯の貯蔵室と扉とするとともに、前記第１引出し貯蔵室４の引出し容器１０は前記他の第２、第３引出し貯蔵室５、６の引出し容器１１、１２と同様三段構造のレール装置１４によって容器後端部まで冷蔵庫本体外に引き出し可能とした構成としてある。これにより、蔵庫本体が持つ本来の容積を効率よく生かして、大容量、かつ、使い勝手の良い冷蔵庫とすることができる。【選択図】図３
2020159688.tif 000002
【特許請求の範囲】
【請求項１】
冷蔵庫であって、
前記冷蔵庫の最上部に設けられている、観音開き式の扉を有する冷蔵室と、
前記冷蔵室の下方に設けられている、引出し式の扉を有する第１の貯蔵室と、
前記第１の貯蔵室の下方に設けられている、引出し式の扉を有する第２の貯蔵室と、
前記第２の貯蔵室の下方に設けられている、引出し式の扉を有する第３の貯蔵室とを備え、
前記第１の貯蔵室の横幅と、前記第２の貯蔵室の横幅と、前記第３の貯蔵室の横幅は、前記冷蔵庫の横幅一杯の寸法であり、
前記第１の貯蔵室の扉と前記第２の貯蔵室の扉と前記第３の貯蔵室の扉とが占める面積の合計が、前記観音開き式の扉が占める面積よりも大きく、
前記第１の貯蔵室に第１の容器が設けられ、前記第１の容器の後端が前記冷蔵庫の庫外に位置するまで前記第１の貯蔵室を引出し可能であり、
前記第２の貯蔵室に第２の容器が設けられ、前記第２の容器の後端が前記冷蔵庫の庫外に位置するまで前記第２の貯蔵室を引出し可能であり、
前記第３の貯蔵室に第３の容器が設けられ、前記第３の容器の後端が前記冷蔵庫の庫外に位置するまで前記第３の貯蔵室を引出し可能であり、
前記第２の貯蔵室の引出し寸法と前記第３の貯蔵室の引出し寸法は略同一寸法であり、
前記第１の貯蔵室の引出し寸法は、前記第２の貯蔵室の引出し寸法、及び、前記第３の貯蔵室の引出し寸法よりも短いことを特徴とする冷蔵庫。
【請求項２】
前記第１の容器は、仕切壁によって第１のゾーンと第２のゾーンとに区画されていることを特徴とする請求項１に記載の冷蔵庫。
【請求項３】
前記第１のゾーンは氷を溜める貯氷ゾーンであり、前記第２のゾーンは食品を冷凍保存する冷凍ゾーンであることを特徴とする請求項２に記載の冷蔵庫。
【請求項４】
前記仕切壁は、任意の位置に固定可能であることを特徴とする請求項２又は３に記載の冷蔵庫。
【請求項５】
前記第２の貯蔵室は冷凍室であり、前記第３の貯蔵室は野菜室であることを特徴とする請求項１から４のいずれか１項に記載の冷蔵庫。
【発明の詳細な説明】
【技術分野】
【０００１】
本発明は冷蔵庫に関し、特に冷蔵庫内の貯蔵室構造に関するものである。
【背景技術】
【０００２】
一般に冷蔵庫は複数の貯蔵室を有しており、その一つは回転式の扉で開閉する貯蔵室とし、残りの貯蔵室は引出しによって開閉する引出式の貯蔵室としてある。そして、これら各貯蔵室は冷却温度帯を異ならせて、冷蔵室、冷凍室、野菜室等と称して使用している（例えば、特許文献１参照）。
【０００３】
図１４は上記特許文献１記載の冷蔵庫を示し、この冷蔵庫は冷蔵庫本体１０１内に複数の貯蔵室を有し、最上部の貯蔵室は観音開き式扉によって開閉する冷蔵室１０２とし、その下方の各貯蔵室は三段に亘って設け、それぞれ引出式の貯蔵室としてある。そしてこの引出式の各貯蔵室は、上部、即ち冷蔵室１０２直下から順に、切替室１０３とその横に位置する製氷室１０４、その下方に位置する冷凍室１０５、更にその下方に位置する野菜室１０６としてある。
【０００４】
このような構造の冷蔵庫は、使用者のお腹付近から下方に位置する貯蔵室、即ち切替室１０３とその横に位置する製氷室１０４、冷凍室１０５、野菜室１０６が引出式の貯蔵室となっているので、これらの下方に位置する貯蔵室への食材の出し入れは当該貯蔵室を構成する引出式の容器を冷蔵庫本体１０１の外まで引き出すことによって行うことができるので容易になり、使い勝手が良い。
【先行技術文献】
【特許文献】
【０００５】
【特許文献１】特開２０１２−５７８８２号公報
【発明の概要】
【発明が解決しようとする課題】
【０００６】
特許文献１に記載の冷蔵庫の場合、上記切替室１０３と製氷室１０４の左右二枚に分かれた扉によってできる垂直線は、外観デザイン上の観点からその上方に位置する冷蔵室１０２の観音開き式扉の左右扉突合せ線と一致させて一直線状とするため、冷蔵庫本体１０１の上下半分以上を占めることになる冷蔵室と第１貯蔵室を加えた面積部分に上下方向の直線が存在する形となって、縦長のイメージが強いものとなってしまう。そのため、冷蔵庫全体のイメージが大容量の割にスッキリ感および幅広感のないコンパクトなイメージを与えるものになってしまうという面があった。
【課題を解決するための手段】
【０００７】
本発明の冷蔵庫は、前記冷蔵庫の最上部に設けられている、観音開き式の扉を有する冷蔵室と、前記冷蔵室の下方に設けられている、引出し式の扉を有する第１の貯蔵室と、前記第１の貯蔵室の下方に設けられている、引出し式の扉を有する第２の貯蔵室と、前記第２の貯蔵室の下方に設けられている、引出し式の扉を有する第３の貯蔵室とを備え、前記第１の貯蔵室の横幅と、前記第２の貯蔵室の横幅と、前記第３の貯蔵室の横幅は、前記冷蔵庫の横幅一杯の寸法であり、前記第１の貯蔵室の扉と前記第２の貯蔵室の扉と前記第３の貯蔵室の扉とが占める面積の合計が、前記観音開き式の扉が占める面積の合計よりも大きく、前記第１の貯蔵室に第１の容器が設けられ、前記第１の容器の後端が前記冷蔵庫の庫外に位置するまで前記第１の貯蔵室を引出し可能であり、前記第２の貯蔵室に第２の容器が設けられ、前記第２の容器の後端が前記冷蔵庫の庫外に位置するまで前記第２の貯蔵室を引出し可能であり、前記第３の貯蔵室に第３の容器が設けられ、前記第３の容器の後端が前記冷蔵庫の庫外に位置するまで前記第３の貯蔵室を引出し可能であり、前記第２の貯蔵室の引出し寸法と前記第３の貯蔵室の引出し寸法は略同一寸法であり、前記第１の貯蔵室の引出し寸法は、前記第２の貯蔵室の引出し寸法、及び、前記第３の貯蔵室の引出し寸法よりも短いことを特徴とする。
【発明の効果】
【０００８】
本発明は上記構成によって、幅広のイメージがより強い冷蔵庫とすることができる。
【図面の簡単な説明】
【０００９】
【図１】本発明の実施の形態１における冷蔵庫の外観斜視図
【図２】同実施の形態１における冷蔵庫の引出し式容器を引き出した時の外観斜視図
【図３】同実施の形態１における冷蔵庫の引出し式容器を引き出した時の側面図
【図４】同実施の形態１における冷蔵庫の引出し式容器を引き出した時の平面図
【図５】同実施の形態１における冷蔵庫の第１貯蔵室部分の構造を示す斜視図
【図６】同実施の形態１における冷蔵庫の第１貯蔵室部分の構造を示す分解斜視図
【図７】同実施の形態１における冷蔵庫の第１貯蔵室部分の断面図
【図８】同実施の形態１における冷蔵庫の第１貯蔵室における引出レール装置部分を示す拡大断面図
【図９】同実施の形態１における冷蔵庫の第１貯蔵室における引出し容器と三段構造のレール装置を示す斜視図
【図１０】（ａ）同実施の形態１における冷蔵庫の第１貯蔵室に設ける三段構造のレール装置の縮小時の斜視図、（ｂ）同三段構造のレール装置の伸長時の斜視図
【図１１】（ａ）同実施の形態１における冷蔵庫の第１貯蔵室の引出し容器を上方から見た斜視図、（ｂ）同引出容器を下方から見た斜視図
【図１２】（ａ）同実施の形態１における冷蔵庫の第１貯蔵室の引出し容器を示す平面図、（ｂ）同引出し容器の側面図
【図１３】同実施の形態２における冷蔵庫の引出し式容器を引き出した時の側面図
【図１４】従来の冷蔵庫を示す正面図
【発明を実施するための形態】
【００１０】
第１の発明は、冷蔵庫本体と、前記冷蔵庫本体の最上部に設けた回転式扉によって開閉する冷蔵室と、前記冷蔵室の下方に設けた少なくとも三つの引出式の貯蔵室とを備え、前記冷蔵室の直下に設けた引出式の第１貯蔵室はその下方の引出し式の他の第２、第３の貯蔵室と同様冷蔵庫本体横幅一杯の貯蔵室と扉にするとともに、前記第１貯蔵室の引出し容器は前記他の第２、第３貯蔵室の引出し容器とともに三段構造のレール装置によって容器後端部まで冷蔵庫本体外に引き出し可能とした構成としてある。
【００１１】
これにより、冷蔵室直下に設けた引出式の第１貯蔵室は一つの部屋となるので左右二室に区画する仕切壁が無くなる分だけ容積が大きくなる。しかも、一つの部屋としたことにより第１貯蔵室を構成する引出し容器を引き出すレール装置は左右一組のみとすることができるのでレール装置が占めるスペースも減少し、更には第１貯蔵室のレール装置を三段構造のレール装置としても三段構造のレール装置としたことによるレール装置設置スペースの増大分を補ってなお第１貯蔵室の容積を大きくすることができ、冷蔵庫本体が持つ本来の左右容積を効率よく生かした大容量の貯蔵室とすることができる。
【００１２】
加えて冷蔵室直下の第１貯蔵室を一つの部屋としたことにより第１貯蔵室を構成する引出し容器を引き出すレール装置は、既述した通り左右一組のみとして当該レール装置が占めるスペースを減少し、それを利用して引出レール装置を三段構造のレール装置として容器後端部まで冷蔵庫本体外に引き出し可能とすることができるので、第１貯蔵室への食材の出し入れがこれより下方に位置する他の引出し式貯蔵室への食材の出し入れと同様容易なものとなり、使い勝手も良いものとなる。
【００１３】
更に、前記第１貯蔵室の扉は冷蔵庫本体の左右幅いっぱいの一枚の扉となるから、第１貯蔵室の扉上下の水平線の間に垂直線が入らないスッキリとした外観とすることができるとともに、垂直線は冷蔵室の面積部分のみとなって縦長なイメージも和らぎ、大容量に見合う幅広ビッグなイメージとすることができる。特に第１の貯蔵室の扉がその下方の他の貯蔵室の扉と同様に冷蔵庫本体の左右幅いっぱいの一枚の扉となってこれら各扉合計面積が占める割合が、冷蔵室の観音開き式扉が占める扉面積よりも大きくなるので、横幅の広い大きなイメージがより強くなり、大容量冷蔵庫にふさわしい幅広ビッグのイメージを持たせることができる。
【００１４】
第２の発明は、第１の発明において、前記第１貯蔵室の引出し容器はその引出し寸法を他の第２、第３の貯蔵室の引出し容器の引出し寸法と略同一寸法とした構成としてある。
【００１５】
これにより、第１貯蔵室の引出し寸法とその下方の他の引出し貯蔵室の引出し寸法の違いによって生じる違和感を解消することができるとともに、第１貯蔵室から引き出した引出し容器の扉前面はその下方に位置する他の第２、第３の貯蔵室の引出し容器の扉前面と略同一面となり、引出し容器を全部引出して展示等する時の見栄えもよいものとすることができる。
【００１６】
第３の発明は、第１の発明において、前記第１貯蔵室の引出し容器はその引出し寸法を他の第２、第３の貯蔵室の引出し容器の引出し寸法より短く設定した構成としてある。
【００１７】
これにより、第１貯蔵室の引出し容器を浅いものとしていてもこの引出し容器が浅いことにより生じる容器引き出し時の見た目の安定性が悪くなる印象を低減することができる。また、第１の貯蔵室は中段に位置し使用者の視線が斜めとなるため、容器の奥まで見渡せる。
【００１８】
第４の発明は、第１〜第３の発明において、前記第１貯蔵室の引出し容器は少なくとも三段構造のレール装置で支持する側壁面を下すぼまり傾斜状に形成するとともに、前記三段構造のレール装置は前記下すぼまり傾斜した側壁面の下部側方に配置した構成としてある。
【００１９】
これにより、三段構造のレール装置は引出し容器の下すぼまり傾斜によって形成される空間にその一部が収まる形となるので、二段レール装置に比べ設置スペースが大きくなる分を前記引出し容器の下すぼまり傾斜によって形成される空間で相殺することができ、三段構造のレール装置を用いることによる容積減を抑制しつつ第１貯蔵室の引出し容器の引出し寸法を大きくして使い勝手を向上させることができる。
【００２０】
第５の発明は、第１〜第４の発明において、前記第１貯蔵室は第１貯蔵室を構成する引出し容器の下部側面と対向する部分に外方へ窪む凹部を設け、この凹部に三段構造のレール装置を設置した構成としてある。
【００２１】
これにより、三段構造のレール装置の一部が凹部に収まる形となるので、二段レール装置に比べ設置スペースが大きくなる分を凹部に収めることによって相殺することができ、三段構造のレール装置を用いることによる容積減を抑制しつつ第１貯蔵室の引出し容器の引出し寸法を大きくして使い勝手を向上させることができる。特に、前記第４の発明との組み合わせ構成としたものは、引出し容器の下すぼまり傾斜によって形成される空間での相殺効果と、凹部に収めることによって生じる相殺効果とが合わさって三段構造のレール装置による容積減を効果的に抑制することができ、第１貯蔵室の容積をより大きなものとすることができる。
【００２２】
第６の発明は、第１〜第５の発明において、前記第１貯蔵室の引出し容器は容器内を左右に区切る仕切壁を有する構成としてある。
【００２３】
これにより、引出し容器の左右いずれか一方を貯氷ゾーンとして利用するとともに他方は冷凍ゾーンとして利用でき、第１貯蔵室の扉を冷蔵庫本体の横幅一杯の一枚ものとしていても従来の二室に区画形成したものと同様の使用が可能となるとともに、冷蔵室の観音開き式左右扉によって生じる分割線にとらわれることなく引出し容器内の仕切壁位置を設定することができ、貯氷ゾーンの容積を大きくして多量の氷を溜めることができ使い勝手の良い冷蔵庫とすることもできる。
【００２４】
第７の発明は、第６の発明において、前記仕切壁は引出し容器と別体構成として引出し容器内の左右任意位置で固定可能な構成としてある。
【００２５】
これにより、仕切壁を引出し容器内で左右に移動させ任意の位置に固定することにより、氷を多く必要とするときには貯氷ゾーンを広げ、そうでないときは貯氷ゾーンを狭く冷凍ゾーンを大きくして冷凍ゾーンに多くの食材を収納するなどの使い分けができ、より使い勝手の良い冷蔵庫とすることができる。
【００２６】
第８の発明は、冷蔵庫本体と、前記冷蔵庫本体の最上部に設けた回転式扉によって開閉する冷蔵室と、前記冷蔵室の下方に設けた少なくとも三つの引出式の貯蔵室とを備え、前記冷蔵室の直下に設けた引出式の第１貯蔵室はその下方の引出し式の他の第２、第３の貯蔵室と同様冷蔵庫本体横幅一杯の貯蔵室と扉にし、かつ、前記第１貯蔵室の引出し容器はその一部に氷を溜める貯氷ゾーンを設けるとともに、前記他の第２、第３貯蔵室の引出し容器とともに三段構造のレール装置によって容器後端部まで冷蔵庫本体外に引き出し可能として貯氷ゾーン奥の氷を冷蔵庫本体外で取り出せるように構成してある。
【００２７】
これにより、第１の発明と同様冷蔵庫本体が持つ本来の容積を効率よく生かして、大容量、かつ、使い勝手の良い冷蔵庫とすることができるとともに、しばらく取り出さずに溜め置いたままにすると固まって取り出しにくくなるという特殊な特性を持つ氷であっても、貯氷ゾーンを設けた引出し容器の後端部を冷蔵庫本体の外まで引き出せるので容易に取り出すことができ、冷蔵庫としての使い勝手を飛躍的に向上させることができる。
【００２８】
以下、本発明の実施の形態について図面を用いて詳細に説明する。なお、この実施の形態によって本発明が限定されるものではない。
【００２９】
（実施の形態１）
図１は本発明の実施の形態１における冷蔵庫の外観斜視図、図２は同冷蔵庫の引出し式容器を引き出した時の外観斜視図、図３は同冷蔵庫の引出し式容器を引き出した時の側面図、図４は同冷蔵庫の引出し式容器を引き出した時の平面図、図５は同冷蔵庫の第１貯蔵室部分の構造を示す斜視図、図６は同冷蔵庫の第１貯蔵室部分の構造を示す分解斜視図、図７は同冷蔵庫の第１貯蔵室部分の断面図、図８は同冷蔵庫の第１貯蔵室における三段構造のレール装置部分を示す拡大断面図、図９は同冷蔵庫の第１貯蔵室における引出し容器と三段構造のレール装置を示す斜視図、図１０（ａ）は同冷蔵庫の第１貯蔵室に設ける三段構造のレール装置の縮小時の斜視図、（ｂ）は同三段構造のレール装置の伸長時の斜視図、図１１（ａ）は同冷蔵庫の第１貯蔵室の引出し容器を上方から見た斜視図、（ｂ）は同引出容器を下方から見た斜視図、図１２（ａ）は同冷蔵庫の第１貯蔵室の引出し容器を示す平面図、（ｂ）は同引出し容器の側面図である。
【００３０】
図１から図１２において、本実施の形態にかかる冷蔵庫は、発泡断熱材を充填して構成した冷蔵庫本体１内に複数の貯蔵室を区画して構成してある。
【００３１】
冷蔵庫本体１内に区画形成した貯蔵室は、観音開き式扉２によって開閉される一つの貯蔵室３と、複数の引出し式の貯蔵室４、５、６（以下、引出し貯蔵室と称す）からなり、観音開き式扉２により開閉される貯蔵室３は冷蔵室と称して使用される。なお、この冷蔵室となる貯蔵室を以下、冷蔵室３と称す。
【００３２】
また、前記冷蔵室３の下方に設けた複数の引出し貯蔵室４、５、６は、この実施の形態では冷蔵室３の直下に位置する第１引出し貯蔵室４、その下方に位置する第２引出し貯蔵室５、更にその下方に位置する第３引出し貯蔵室６からなる。
【００３３】
そして、上記各引出し貯蔵室４、５、６は、前面開口を閉塞する引出し扉７、８、９と、引出し扉７、８、９と冷蔵庫本体１とを連係するとともに貯蔵室の内部に備えた引出し容器１０、１１、１２を前後に移動可能とするレール装置１４とが設けてある。
【００３４】
前記複数の引出し貯蔵室のうち、第２引出し貯蔵室５は冷凍室、第３引出し貯蔵室６は野菜室と称して使用され、これまでの冷蔵庫と同様、冷蔵庫本体１の横幅一杯の貯蔵室となっている。
【００３５】
また、冷蔵室３直下の第１引出し貯蔵室４も、前記第２引出し貯蔵室５、第３引出し貯蔵室６と同様冷蔵庫本体１の横幅一杯の貯蔵室としてあり、氷を溜める貯氷ゾーンと食品を冷凍保存する冷凍ゾーンとを併せ持つ複合室としてある。そしてこの第１引出し貯蔵室４は、その引出し扉７も前記第２引出し貯蔵室５及び第３引出し貯蔵室６の引出し扉８、９と同様に一枚の扉構成とし、この引出し扉７とともに引き出される引出し容器１０も前記他の第２、第３引出し貯蔵室５、６の引出し容器１１、１２と同様一つの容器としてある。
【００３６】
以下、図５〜図１２を用いて前記第１引出し貯蔵室４の構成について詳細に説明する。
【００３７】
第１引出し貯蔵室４は、図５、図６に示すように冷蔵庫本体１を構成する内箱１５によって冷蔵庫本体１の横幅一杯の一つの貯蔵室として形成してあり、その開口は仕切梁１６によって下方の第２引出し貯蔵室５の開口と区切ってある。
【００３８】
上記第１引出し貯蔵室４内に設置した引出し容器１０は、樹脂成型によって第２、第３引出し貯蔵室５、６の引出し容器１１、１２よりも浅く形成してあり、図１１、図１２に示すようにその内部を一体成型した仕切壁１７によって貯氷ゾーン１８と冷凍ゾーン１９に仕切ってある。
【００３９】
また、第１引出し貯蔵室４の前記貯氷ゾーン１８と対向する天井部分には製氷装置（図示せず）が設けてある。
【００４０】
上記第１引出し貯蔵室４のレール装置１４は、第１引出し貯蔵室４の下方に位置する第２引出し貯蔵室５、第３引出し貯蔵室６に用いているレール装置１４と同様の三段構造のレール装置（以下、三段レール装置と称す）であり、第２引出し貯蔵室５、第３引出し貯蔵室６の引出し容器１１、１２と同様、第１引出し貯蔵室４の引出し容器１０もその容器後端部まで冷蔵庫本体１外に引き出し可能となっている。なお、冷蔵庫本体外とは冷蔵庫本体の前端面より前方を意味するが、観音開き式扉や引出し扉の前端面より前方まで引き出し可能としてもよい。
【００４１】
上記三段レール装置１４の構造について簡単に説明する。
【００４２】
三段レール装置１４は、図１０に示すように、三段に重ねられた三つのレール、すなわち、固定レール２１、中間レール２２、容器支持レール２３からなり、固定レール２１に対して中間レール２２が移動可能であり、かつ、中間レール２２に対して容器支持レール２３が移動可能となっている。
【００４３】
そして、上記三段レール装置１４は、固定レール２１に移動レールとなる中間レール２２と容器支持レール２３を予め組み込んだ状態で図８に示すように内箱１５壁に固定してある。すなわち、レール装置１４は固定レール２１に設けたレール取付部２４を内箱１５壁にビス止め固定してある。
【００４４】
また、三段レール装置１４は、その容器支持レール２３を前記第１引出し貯蔵室４の引出し扉７内面に固定した容器フレーム２５とビス止め固定してある。
【００４５】
これにより、第１引出し貯蔵室４の引出し扉７を冷蔵庫本体１に対し引き出したり押し戻したりすることが可能となり、この引出し扉７の容器フレーム２５に載置した引出し容器１０を引出し扉７とともに三段レール装置１４の伸縮軌道に沿って冷蔵庫本体１に対し引き出したり押し戻したりすることが可能となる。
【００４６】
そして、引出し容器１０はレール装置１４が固定レール２１、中間レール２２、容器支持レール２３の三段レール構成となっているから、前記したように引出し容器１０の容器後端部まで冷蔵庫本体１外に引き出し可能となっている。
【００４７】
なお、上記三段レール装置１４は、固定レール２１が中間レール２２を支持する部分、及び中間レール２２が容器支持レール２３を支持する部分に複数のベアリング（図示せず）を設けて円滑に伸縮動作を行うようにしてある。
【００４８】
また、容器フレーム２５はその前端取付片２５ａを引出し扉７の内面にビス止めして固定し、その容器フレーム２５の上端に引出し容器１０の上部開口端フランジ１０ａを載置し係合部（図示せず）に嵌め合わせて引出し容器１０を支持しており、引出し容器１０は上方に持ち上げると容器フレーム２５から取り外すことができるようになっている。
【００４９】
また、上記引出し容器１０は、図８に明示したように少なくとも上記三段レール装置１４で支持する側壁面を下すぼまり傾斜状に形成してあり、三段レール装置１４はこの傾斜した側壁部の下部側方となる第１引出し貯蔵室４の両側内面に設置してある。
【００５０】
そして、前記引出し容器１０の傾斜状側壁部の下部と対向する前記第１引出し貯蔵室４の両側内面に外向きに窪む凹部２６を設け、この凹部２６に三段レール装置１４が取り付け固定してある。すなわち、三段レール装置１４を構成する固定レール２１のレール取付部２４がビス止め固定してある。
【００５１】
上記構成において、次にその作用効果について説明する。
【００５２】
まずこの冷蔵庫は、冷蔵室３直下の第１引出し貯蔵室４を冷蔵庫本体１の横幅一杯の貯蔵室として一つの部屋としているので、左右二室に区画する仕切壁が無くなる分だけ容積が大きくなる。
【００５３】
また、一つの部屋としたことにより第１引出し貯蔵室４に設けた引出し容器１０を引き出す三段レール装置１４は左右一組のみとすることができるので、レール装置１４が占めるスペースも一組のレール装置分だけ減少する。
【００５４】
さらにまた、前記第１引出し貯蔵室４のレール装置１４が占めるスペースが減少するので、比較的大きなスペースを必要とする三段構造のレール装置１４を用いることができ、この三段レール装置１４を用いても、この三段レール装置１４としたことによるレール装置設置スペースの増大分を補ってなお第１引出し貯蔵室４の容積、換言すると第１引出し貯蔵室４となる引出し容器１０の容積を大きくすることができる。
【００５５】
したがって、以上のようなことから、第１引出し貯蔵室４、即ち引出し容器１０の容積は、冷蔵庫本体１が持つ本来の左右容積を効率よく生かした大容量のものとすることができる。
【００５６】
加えて、この実施の形態の冷蔵庫では、前記第１引出し貯蔵室４に設けた引出し容器１０は少なくとも三段レール装置１４で支持する側壁面を下すぼまり傾斜状に形成するとともに、前記三段レール装置１４は前記下すぼまり傾斜した側壁面の下部側方に配置した構成としてあるから、より引出し容器１０の容積を大容量のものとし、使い勝手も向上させることができる。
【００５７】
すなわち、三段レール装置１４は引出し容器１０の下すぼまり傾斜によって形成される空間にその一部が収まる形となるので、二段レール装置に比べ設置スペースが大きくなる分を前記引出し容器１０の下すぼまり傾斜によって形成される空間で相殺することができる。したがって、この相殺分だけ引出し容器１０の容積を大容量のものとすることができる。しかも、三段レール装置１４を用いることによる容積減を抑制しつつ第１引出し貯蔵室４の引出し容器１０の引出し寸法を大きくして使い勝手を向上させることもできる。
【００５８】
さらに、前記第１引出し貯蔵室４は前記引出し容器１０の下すぼまり傾斜状の下部側面と対向する部分に外方へ窪む凹部２６を設け、この凹部２６に三段レール装置１４を設置しているので、更に引出し容器１０の大容量化と使い勝手の向上効果を高めることができる。
【００５９】
すなわち、凹部２６に三段レール装置１４の一部が収まる形となるので、二段レール装置に比べ設置スペースが大きくなる分を凹部２６に収めることによって容積減を相殺することができ、三段レール装置１４を用いることによる容積減を抑制することができる。しかもこの容積減を抑制しつつ第１引出し貯蔵室４の引出し容器１０の引出し寸法を大きくして使い勝手を向上させることができるのである。
【００６０】
なお、第２引出し貯蔵室５・第３引出し貯蔵室６にも同様の凹部を設けて三段レール装置１４を設置しても良い。その場合は凹部の深さ／引出し容器の高さの比率を、第１引出し貯蔵室４の比率＞第２引出し貯蔵室５・第３引出し貯蔵室６の比率の関係にするのが良い。この関係によって、引出し容器の高さが低い第１引出し貯蔵室４であっても三段レール装置の収納スペースを最適化できる。
【００６１】
一方、上記冷蔵室３直下の第１引出し貯蔵室４は、前記した通り一つの部屋としたことにより第１引出し貯蔵室４を構成する引出し容器１０を引き出す三段レール装置１４は、左右一組のみとして当該三段レール装置１４が占めるスペースを減少し、それを利用して引出レールを三段レール装置１４として容器後端部まで冷蔵庫本体１外に引き出し可能とすることができる。
【００６２】
したがって、第１引出し貯蔵室４への食材の出し入れがこれより下方に位置する他の引出し貯蔵室５、６への食材の出し入れと同様容易なものとなり、使い勝手も良いものとなる。また、引出し容器１０を最終端まで引き出した状態でそのまま真上に持ち上げて取り出すこともでき、引出し容器１０の水洗い等の掃除が簡単になり、更に使い勝手の良いものとすることができる。
【００６３】
更に、前記第１引出し貯蔵室４を前記した通り一つの部屋としたことにより第１引出し貯蔵室４の引出し扉７は冷蔵庫本体１の左右幅いっぱいの一枚の扉となるから、第１引出し貯蔵室４の引出し扉７上下の水平線の間に垂直線が入らないスッキリとした外観とすることができる。しかも、引出し扉７の内面に設けるシーリングパッキン（図示せず）も一つとすることができるから、冷気漏れが生じやすくなるパッキン部分を低減し省エネ性を向上させることもできる。
【００６４】
また、冷蔵庫本体１の正面に見えることになる垂直線は、冷蔵室３の観音開き式扉面積部分のみとなって縦長なイメージも和らぎ、大容量に見合う幅広ビッグなイメージとすることができる。特に第１引出し貯蔵室４の引出し扉７がその下方の他の引出し貯蔵室５、６の引出し扉８、９と同様に冷蔵庫本体１の左右幅いっぱいの一枚の扉となってこれら各引出し扉合計面積が占める割合が、冷蔵室３の観音開き式扉２が占める扉面積よりも大きくなるので、横幅の広い大きなイメージがより強くなり、大容量冷蔵庫にふさわしい幅広ビッグのイメージを持たせることができる。
【００６５】
また、前記第１引出し貯蔵室４の引出し容器１０は容器内を左右に区切る仕切壁１７によって、氷を溜める貯氷ゾーン１８と食材を冷凍保存する冷凍ゾーン１９を設けているが、第１引出し貯蔵室４の引出し扉７が一枚の扉となっているので、その内部に設けた引出し容器１０の貯氷ゾーン１８は冷蔵室３の観音開き式扉２によって生じる垂直線にとらわれることなくその大きさを設定することができる。したがって、貯氷ゾーン１８の容積を大きめに設定して多量の氷を溜めることができるようにし、使い勝手の良い冷蔵庫とすることができる。
【００６６】
しかも、前記第１引出し貯蔵室４の引出し容器１０は上記貯氷ゾーン１８の残りのスペースを冷凍ゾーン１９として利用でき、第１引出し貯蔵室４の引出し扉７を冷蔵庫本体１の横幅一杯の一枚ものとしていても従来の二室に区画形成した冷蔵庫と同様の使用が可能となり、従来の冷蔵庫が持つ多様な収納性を持つ使い勝手の良い冷蔵庫とすることができる。
【００６７】
また、前記第１引出し貯蔵室４の引出し容器１０は氷を溜める従来の貯氷容器となるものであるが、この冷蔵庫ではその後端部を冷蔵庫本体１外まで引き出せるようにしているので、引出し容器１０の貯氷ゾーン１８奥に固まってしまっている氷の塊を容易に砕いて取り出すこともできる。
【００６８】
すなわち、従来の二室に区分けした一方の貯蔵室を貯氷室としたものでは、既述した通り容積確保の観点から二段構成のレール装置としているため貯氷容器の後端部を冷蔵庫本体外まで引き出すことができず、冷蔵庫本体前面の狭い貯氷室開口から氷掻き取り具を差し込んで貯氷容器奥に固まった氷を取り出すことになり、氷の取り出しが困難であった。
【００６９】
しかしながら、本実施の形態の冷蔵庫では貯氷ゾーン１８を形成する引出し容器１０の後端部までが冷蔵庫本体１の外まで引き出せるので、使用者は冷蔵庫本体１外で貯氷ゾーン１８の奥に溜まっている氷を貯氷ゾーン１８の上から苦労することなく砕き掻きとることができる。
【００７０】
したがって、しばらく取り出さずに溜め置いたままにすると固まって取り出しにくくなるという特殊な特性を持つ氷であっても、容易に取り出すことができ、冷蔵庫としての使い勝手を飛躍的に向上させることができる。
【００７１】
なお、前記仕切壁１７は、図示はしないものの、引出し容器１０とは別体構成品として引出し容器１０内の左右任意位置で固定可能な構成とすれば、より使い勝手の良い冷蔵庫とすることができる。すなわち、上記のごとき構成にしておけば、仕切壁１７をスライド移動させて引出し容器１０内の任意の位置に固定することにより、氷を多く必要とするときには貯氷ゾーン１８を広げ、そうでないときは貯氷ゾーン１８を狭く冷凍ゾーン１９を大きくして冷凍ゾーン１９に多くの食材を収納するなどの使い分けができ、より使い勝手の良い冷蔵庫とすることができるのである。
【００７２】
また、前記第１引出し貯蔵室４の引出し容器１０は冷凍室や野菜室となる他の引出し貯蔵室５、６の引出し容器１１、１２と同様三段構造のレール装置１４で引出自在としているので、その引出し寸法を他の引出し貯蔵室５、６の引出し容器１１、１２の引出し寸法と略同一寸法、例えば１０ｍｍ範囲内とすることができる。
【００７３】
これにより、第１引出し貯蔵室４の引出し容器１０の引出し寸法とその下方の冷凍室や野菜室となる他の引出し貯蔵室５、６の引出し容器１１、１２の引出し寸法の違いによって生じる違和感を解消することができる。しかも、第１引出し貯蔵室４から引き出した引出し容器１０の引出し扉７前面はその下方に位置する冷凍室や野菜室となる他の引出し貯蔵室５、６の引出し容器１１、１２の引出し扉８、９前面と略同一面となり、引出し容器１０、１１、１２を全部引出して展示等する時の見栄えもよいものとすることができる。
【００７４】
（実施の形態２）
図１３は実施の形態２における冷蔵庫を示す側面図である。
【００７５】
この実施の形態２における冷蔵庫は、第１引出し貯蔵室４の引出し容器１０の引出し寸法を冷凍室や野菜室となる他の引出し貯蔵室５、６の引出し容器１１、１２の引出し寸法より短く設定した構成としてある。
【００７６】
これにより、第１引出し貯蔵室４の引出し容器１０は、通常、底の浅いものとしているが、この底が浅い引出し容器１０を手前側に長く引出すと、安定性に欠ける印象を与えがちであるが、冷凍室や野菜室となる他の引出し貯蔵室５、６の引出し容器１１、１２の引出し寸法より短くしておくことによってこれを和らげることができ、容器引き出し時の見た目の安定性が悪くなる印象を低減することができる。そして、引出し寸法が短くても第１引出し貯蔵室４は冷蔵庫本体１の中段に位置していて使用者の引出し容器１０内を見る視線が斜めとなるため、容器の奥まで見渡せ、使い勝手を損なうこともない。
【００７７】
なお、この場合でも第１引出し貯蔵室４の引出し容器１０はその後端部が冷蔵庫本体１外まで引き出されるようにしておけば、引出し容器１０内の奥まで確実に見渡すことができ、しかも引出し容器１０を引出し最終端まで引き出した状態でそのまま真上に持ち上げて取り出すこともでき、使い勝手の高いものとすることができる。そしてもちろん、氷の取り出しも容易なものとすることができる。
【００７８】
なお、その他の構成及び作用効果は前記実施の形態１と同様であり、説明は省略する。
【００７９】
以上、本発明に係る冷蔵庫は、上記各実施の形態を用いて説明したように、冷蔵庫本体１が持つ本来の容積を効率よく生かして、大容量、かつ、使い勝手の良い冷蔵庫とすることができるものであるが、本発明はここに示した各実施の形態に限定されるものではない。
【００８０】
すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００８１】
以上のように、本発明は、冷蔵庫本体が持つ本来の容積を効率よく生かして、大容量、かつ、使い勝手の良い冷蔵庫とすることができ、家庭用および業務用など様々な種類および大きさの冷蔵庫等に適用できる。
【符号の説明】
【００８２】
１  冷蔵庫本体
２  観音開き式扉
３  貯蔵室（冷蔵室）
４  第１引出し貯蔵室（貯蔵室）
５  第２引出し貯蔵室（貯蔵室）
６  第３引出し貯蔵室（貯蔵室）
７、８、９  引出し扉
１０、１１、１２  引出し容器
１４  レール装置（三段レール装置）
１５  内箱
１６  仕切梁
１７  仕切壁
１８  貯氷ゾーン
１９  冷凍ゾーン
２１  固定レール
２２  中間レール
２３  容器支持レール
２４  レール取付部
２５  容器フレーム
２６  凹部
【図１】
2020159688.tif 000003
【図２】
2020159688.tif 000004
【図３】
2020159688.tif 000005
【図４】
2020159688.tif 000006
【図５】
2020159688.tif 000007
【図６】
2020159688.tif 000008
【図７】
2020159688.tif 000009
【図８】
2020159688.tif 000010
【図９】
2020159688.tif 000011
【図１０】
2020159688.tif 000012
【図１１】
2020159688.tif 000013
【図１２】
2020159688.tif 000014
【図１３】
2020159688.tif 000015
【図１４】
2020159688.tif 000016
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
冷蔵庫であって、
前記冷蔵庫の最上部に設けられている、冷蔵室と、
前記冷蔵室の直下に設けられている、引出し式の扉を有する貯蔵室と、
前記貯蔵室に設けられている、容器とを備え、
前記貯蔵室の横幅は、前記冷蔵庫の横幅一杯の寸法であり、
前記容器は仕切壁によって氷を溜める貯氷ゾーンと食品を冷凍保存する冷凍ゾーンとに区画され、
前記仕切壁は使用者によって取り付け位置を変更可能であることを特徴とする冷蔵庫。
【請求項２】
前記容器の後端が前記冷蔵庫の庫外に位置するまで前記貯蔵室を引出し可能であることを特徴とする請求項１に記載の冷蔵庫。
【請求項３】
前記容器の側壁面は下すぼまり傾斜状に形成され、
前記貯蔵室のうち前記容器の側壁面の下部に対向する両側内面には外向きに窪む凹部が設けられ、
前記凹部に三段レール装置が設けられていることを特徴とする請求項２に記載の冷蔵庫。
【請求項４】
前記貯蔵室の下方に設けられている、引出し式の扉を有する第２の貯蔵室と、
前記第２の貯蔵室に設けられている、第２の容器とを更に備え、
前記第２の貯蔵室の横幅は、前記冷蔵庫の横幅一杯の寸法であり、
前記容器は、前記第２の容器より浅いことを特徴とする請求項１から３のいずれか一項に記載の冷蔵庫。
【請求項５】
前記第２の容器の側壁面は下すぼまり傾斜状に形成され、
前記第２の貯蔵室のうち前記第２の容器の側壁面の下部に対向する両側内面には外向きに窪む第２の凹部が設けられ、
前記凹部の深さと前記容器の高さとの比率が、前記第２の凹部の深さと前記第２の容器の高さとの比率より大きいことを特徴とする請求項４に記載の冷蔵庫。
【手続補正２】
【補正対象書類名】明細書
【補正対象項目名】０００６
【補正方法】変更
【補正の内容】
【０００６】
本発明は、氷を溜める貯氷ゾーンと食品を冷凍保存する冷凍ゾーンの大きさを設定でき、使い勝手の良い冷蔵庫を提供する。
【手続補正３】
【補正対象書類名】明細書
【補正対象項目名】０００７
【補正方法】変更
【補正の内容】
【０００７】
本発明の冷蔵庫は、前記冷蔵庫の最上部に設けられている、冷蔵室と、前記冷蔵室の直下に設けられている、引出し式の扉を有する貯蔵室と、前記貯蔵室に設けられている、容器とを備え、前記貯蔵室の横幅は、前記冷蔵庫の横幅一杯の寸法であり、前記容器は仕切壁によって氷を溜める貯氷ゾーンと食品を冷凍保存する冷凍ゾーンとに区画され、前記仕切壁は使用者によって取り付け位置を変更可能であることを特徴とする。
【手続補正４】
【補正対象書類名】明細書
【補正対象項目名】０００８
【補正方法】変更
【補正の内容】
【０００８】
本発明は上記構成によって、氷を溜める貯氷ゾーンと食品を冷凍保存する冷凍ゾーンの大きさを設定でき、使い勝手の良い冷蔵庫とすることができる。